(57)【要約】【課題】一定量の流体が通過する度に音又は振動を発生する機構を備える流体流通路を流れる流体の流量を、前記音又は振動に基づいて、外部から正確に計測する。【解決手段】流量計測装置２は、ガスメータ１が発する音を検出するマイクロフォン２１と、マイクロフォン２１が抽出した音波信号を用いて、ガス流量を求めるための演算処理を行う装置本体２２を含む。装置本体２２の演算処理装置２５には、前記音波信号に由来する波形データの自己相関を算出し、当該波形データに内在する周期性を求める相関検出部２７３と、前記周期性からガスメータ１が発する音の発生周期を推定して、ガスメータ１を通過するガスの流量を算出する流量算出部２８とが備えられている。【選択図】図２
2011174788.tif 000002
【特許請求の範囲】
【請求項１】
一定量の流体が通過する度に音又は振動を発生する機構を備える流体流通路の外部に付設される流量計測装置であって、
前記機構が発生する音又は振動を検出し、その音又は振動を波形データとして出力する検出手段と、
前記波形データの自己相関を算出し、当該波形データに内在する周期性を求める周期検出手段と、
前記周期性から前記音又は振動の発生周期を推定して、前記流体流通路内における前記流体の流量を算出する流量算出手段と、
を備えることを特徴とする流量計測装置。
【請求項２】
前記流体が気体であり、
前記音又は振動を発生する機構が、前記気体の積算流量を検出する乾式流量計であることを特徴とする請求項１に記載の流量計測装置。
【請求項３】
前記検出手段は、前記音又は振動を検出可能な第１のサンプリング周期で生成された第１波形データを出力し、
前記周期検出手段は、前記第１波形データを所定の時間単位で区画し、その区画毎に平均値を求めることで、サンプリング周期が前記第１のサンプリング周期よりも低い第２波形データを生成する波形圧縮部を備えることを特徴とする請求項１又は２に記載の流量計測装置。
【請求項４】
前記周期検出手段は、
前記第２波形データ上において所定の時間幅のテンプレート波形を設定するテンプレート設定部と、
前記テンプレート波形を基準時間単位で前記第２波形データ上を順次シフトさせ、前記テンプレート波形との相関を求めると共に相関ピークを検出する相関検出部と、
を備えることを特徴とする請求項３に記載の流量計測装置。
【請求項５】
前記テンプレート設定部は、前記テンプレート波形を、所定の期間毎に最新の第２波形データに基づいて更新することを特徴とする請求項４に記載の流量計測装置。
【請求項６】
一定量の流体が通過する度に音又は振動を発生する機構を備える流体流通路の外部において、前記機構が発生する音又は振動を検出するステップと、
前記検出された音又は振動から波形データを生成するステップと、
前記波形データの自己相関を算出し、当該波形データに内在する周期性を求めるステップと、
前記周期性から前記音又は振動の発生周期を推定するステップと、
前記機構において一の音又は振動が発生するのに要する前記流体の単位流量と、前記推定された発生周期とから、前記流体流通路内における前記流体の流量を求めるステップと、を含むことを特徴とする流量計測方法。
【発明の詳細な説明】
【技術分野】
【０００１】
本発明は、例えばガスメータのように、一定量の流体が通過する度に音又は振動を発生する機構を備える流体流通路を流れる流体の流量を、その流通路内に計器等を割り入れることなく、外部から計測できる流量計測装置及び方法に関する。
【背景技術】
【０００２】
一般住宅、商店や工場等の事業所、ビルディング等のガス需要家には、そのガス消費量を計測するためのガスメータが備えられている。このガスメータは、一般的に積算流量計であり、一ヶ月単位でのガス消費量を計測することを主目的としている。このため、メータの分解能は低く、短時間（例えば１分〜１時間程度）単位でのガス流量計測には不向きである。そもそも、この種のガスメータは、目視計測を前提としたメータであるため、単位時間当たりのガス流量に基づいて機器の制御動作を行うという利用には適していない。このようなガス流量計測を行うために、新たにガス流量計をガス配管に組み入れることも考えられるが、需要家の理解が得られ難く、またガス供給事業者以外の者がこのような配管工事を行うことは実質的に不可能である。
【０００３】
特許文献１には、このような問題を解決する一つの手法が開示されている。すなわち、ガスメータのような乾式流量計が、一定量の流体が通過する度に音又は振動を発生することに着目し、特許文献１の流量計測システムでは、前記音又は振動を計測する。そして、所定の閾値レベルを超える音又は振動をカウントすることで、乾式流量計を通過する流体の流量を計測する。前記閾値レベルを設定するのは、乾式流量計が発する音又は振動とノイズとを峻別するためである。
【先行技術文献】
【特許文献】
【０００４】
【特許文献１】特開２００７−１７３２５号公報
【発明の概要】
【発明が解決しようとする課題】
【０００５】
しかしながら、乾式流量計が実際に発する音又は振動は、乾式流量計を通過する流体の流量により変化する。本発明者の実験に依れば、例えば現在汎用されているガスメータでは、ガスの使用量が多いときには比較的大きな音が発生し、ガスの使用量が少ないときには比較的小さい音が発生する。従って、特許文献１の手法では、ガスの使用状況に応じて前記閾値レベルを逐次設定しないと、ガスメータの発生音とノイズとを峻別することができず、すなわち、音の発生周期を的確に捉えることができず、正確なガス流量計測ができないことになる。このような閾値レベルの流動化は実際には困難であり、閾値方式には限界がある。
【０００６】
本発明は上記の問題に鑑みてなされたもので、一定量の流体が通過する度に音又は振動を発生する機構を備える流体流通路を流れる流体の流量を、前記音又は振動に基づいて、外部から一層正確に計測できる流量計測装置及び方法を提供することを目的とする。
【課題を解決するための手段】
【０００７】
本発明の一局面に係る流量計測装置は、一定量の流体が通過する度に音又は振動を発生する機構を備える流体流通路の外部に付設される流量計測装置であって、前記機構が発生する音又は振動を検出し、その音又は振動を波形データとして出力する検出手段と、前記波形データの自己相関を算出し、当該波形データに内在する周期性を求める周期検出手段と、前記周期性から前記音又は振動の発生周期を推定して、前記流体流通路内における前記流体の流量を算出する流量算出手段と、を備えることを特徴とする（請求項１）。
【０００８】
また、本発明の他の局面に係る流量計測方法は、一定量の流体が通過する度に音又は振動を発生する機構を備える流体流通路の外部において、前記機構が発生する音又は振動を検出するステップと、前記検出された音又は振動から波形データを生成するステップと、前記波形データの自己相関を算出し、当該波形データに内在する周期性を求めるステップと、前記周期性から前記音又は振動の発生周期を推定するステップと、前記機構において一の音又は振動が発生するのに要する前記流体の単位流量と、前記推定された発生周期とから、前記流体流通路内における前記流体の流量を求めるステップと、を含むことを特徴とする（請求項６）。
【０００９】
これらの構成によれば、音又は振動の発生レベルに依拠して前記音又は振動の発生周期が求められるのではなく、音又は振動に基づく波形データの周期性を自己相関演算で検出することで、前記音又は振動の発生周期が求められる。このような周期性は、一定量の流体が通過する度に音又は振動を発生する機構である以上、流体の流量に拘わらず把握し得る。従って、前記機構が発生する音又は振動の強度や周波数が変化しても、的確に音又は振動の発生周期を検出でき、前記流体の流量を正確に算出することができる。
【００１０】
上記構成において、前記流体が気体であり、前記音又は振動を発生する機構が、前記気体の積算流量を検出する乾式流量計であることが望ましい（請求項２）。この構成によれば、例えばガスメータのような乾式流量計を通過する流体の流量を、特に配管工事等を行うことなく、外部から計測することが可能となる。
【００１１】
上記構成において、前記検出手段は、前記音又は振動を検出可能な第１のサンプリング周期で生成された第１波形データを出力し、前記周期検出手段は、前記第１波形データを所定の時間単位で区画し、その区画毎に平均値を求めることで、サンプリング周期が前記第１のサンプリング周期よりも低い第２波形データを生成する波形圧縮部を備えることが望ましい（請求項３）。
【００１２】
一般に前記機構が発生する音又は振動は１〜３ｋＨｚ程度のものであり、これを検出するには、前記検出手段は、これよりも短い周期（例えば８ｋＨｚ）で音又は振動をサンプリングする必要が有る。このようなサンプリング周期で取得された第１波形データは、あまりにもデータ量が多すぎて演算処理に大きな負荷がかかると共に、自己相関を取り難いという不具合が生じることがある。そこで、波形圧縮部で第１波形データを圧縮した第２波形データを生成させることで、その後の自己相関の算出処理を簡素化することが可能となる。
【００１３】
この場合、前記周期検出手段は、前記第２波形データ上において所定の時間幅のテンプレート波形を設定するテンプレート設定部と、前記テンプレート波形を基準時間単位で前記第２波形データ上を順次シフトさせ、前記テンプレート波形との相関を求めると共に相関ピークを検出する相関検出部と、を備えることが望ましい（請求項４）。この構成によれば、自己相関の算出処理を効率的に行わせることができる。
【００１４】
また、前記テンプレート設定部は、前記テンプレート波形を、所定の期間毎に最新の第２波形データに基づいて更新することが望ましい（請求項５）。この構成によれば、流量の変化に対応して、適切なテンプレートを逐次設定させることが可能となる。
【発明の効果】
【００１５】
本発明によれば、一定量の流体が通過する度に音又は振動を発生する機構を備える流体流通路を流れる流体の流量を、前記音又は振動に基づいて、外部から正確に計測できる流量計測装置及び方法を提供することができる。従って、例えば単位時間当たりの流体流量に基づいて他の機器の制御動作を行うことが可能となる。
【図面の簡単な説明】
【００１６】
【図１】本発明の実施形態に係る流量計測装置のガスメータに対する設置状況を示す模式的な図である。
【図２】流量計測装置の構成を示すブロック図である。
【図３】音の波形データの一例を示すグラフである。
【図４】図３の波形データを圧縮した波形データを示すグラフである。
【図５】テンプレート波形の一例を示すグラフである。
【図６】自己相関を求める処理を説明するための模式図である。
【図７】自己相関の算出結果を示すグラフである。
【図８】流量計測装置の動作を示すフローチャートである。
【発明を実施するための形態】
【００１７】
以下、図面に基づいて、本発明の実施形態につき詳細に説明する。図１は、本発明の実施形態に係る流量計測装置２のガスメータ１に対する設置状況を示す模式的な図である。ガスメータ１は、一般住宅、商店や工場等の事業所、ビルディング等のガス需要家単位で設置され、そのガス需要家におけるガス使用量の積算値を計測するものである。
【００１８】
ガスメータ１（一定量の流体が通過する度に音又は振動を発生する機構を備える流体流通路）は、ガス（流体）の積算流量を検出する乾式流量計であって、ガス流量の計測動作を行う機構を内部に備えた本体部１１と、ガス流量の計測結果を数値で表示するカウンタメータを含む表示部１２と、商用ガス供給管路に接続された入口管１０１の端末が接続されるガス流入口１３と、需要家の屋内ガス管路１０２の端末が接続されるガス流出口１４とを備えている。
【００１９】
本体部１１は、ガス流量の計量のために、ガスの吸気及び排気動作を行う計量室を備える。計量室は、ガス圧によって往復移動するダイアフラムによって４つに区画され、排気・吸気を切替えるスライドバルブの動作によって、ガス流入口１３から吸入されたガスは、４つの計量区画を順次通過してガス流出口１４から排出される。このようなガスの吸入・排出によって生じるダイアフラムの往復運動がクランク軸を介して積算機構に伝達され、このダイアフラムの往復運動数に基づいて積算流量値が計測される。
【００２０】
このように、ガスメータ１は上記のダイアフラムやクランク軸といった部品の機械的な動作に基づきガス流量を計測するので、その動作サイクルに起因して音（乃至は振動）を発生する。この動作音は、一定量のガスが通過する度に発生する周期的なものである。本実施形態では、ガスメータ１が発生する動作音に基づいて、入口管１０１から屋内ガス管路１０２へ流入するガスの流量、つまり当該需要家におけるガス使用量をガスメータ１とは別個に計測する流量計測装置２が、ガスメータ１に付設されている。
【００２１】
流量計測装置２は、マイクロフォン２１（検出手段）と、装置本体２２とを含む。マイクロフォン２１は、ガスメータ１が発する音（乃至は振動）を検出するもので、ガスメータ１の本体部１１の外表面に添設若しくは近接して設置される。装置本体２２は、マイクロフォン２１と電気的に接続され、マイクロフォン２１が抽出した音波信号を用いて、ガス流量を求めるための演算処理を行う。
【００２２】
図２は、流量計測装置２の詳細構成を示すブロック図である。流量計測装置２は、増幅回路（ＡＭＰ）２３、音波検出回路２４、演算処理装置（ＣＰＵ）２５及びインターフェイス回路（Ｉ／Ｆ）２６を備えている。
【００２３】
増幅回路２３は、マイクロフォン２１が検出した電気的な音波信号が入力され、該音波信号を増幅する。音波検出回路２４は、増幅回路２３から出力される音波信号を、例えば８ｋＨｚのサンプリング周期（第１のサンプリング周期）で検出して、原波形データ（第１波形データ）を生成する。なお、８ｋＨｚのサンプリング周期が選ばれるのは、ガスメータ１が発生する動作音は概ね１〜３ｋＨｚ程度のものであり、この帯域の音を検出するためには、これよりも短い周期でサンプリングする必要が有るためである。
【００２４】
演算処理装置２５は、ガス流量を算出するための各種演算処理を行うもので、周期検出部２７（周期検出手段）と、流量算出部２８（流量算出手段）とを備える。周期検出部２７は、前記音波波形データの自己相関を算出し、当該音波波形データに内在する周期性を求めるもので、波形圧縮部２７１、テンプレート設定部２７２及び相関検出部２７３を備えている。
【００２５】
波形圧縮部２７１は、前記原波形データを所定の時間単位で区画し、その区画毎に平均値を求めることで、サンプリング周期が８ｋＨｚのサンプリング周期よりも低い圧縮波形データ（第２波形データ）を生成する。８ｋＨｚ程度のサンプリング周期で取得された原波形データは、あまりにもデータ量が多すぎて演算処理に大きな負荷がかかると共に、自己相関を取り難いという不具合がある。そこで、波形圧縮部２７１は、原波形データを圧縮し、例えば数Ｈｚ〜１００Ｈｚ程度の圧縮波形データを生成させることで、その後の自己相関の算出処理を簡素化させる。
【００２６】
図３は、音波検出回路２４から出力される原波形データ４１の一例を示すグラフである。図３の原波形データ４１には、２つの大きなピーク値、第１ピーク値４１Ｐ１、第２ピーク値４１Ｐ２が存在する。これらピーク値は、ガスメータ１の動作サイクルに起因して発生する音に対応する。ここでは、第１ピーク値４１Ｐ１と第２ピーク値４１Ｐ２との間隔は約２秒である。従って、この原波形データ４１が検出されている状況では、ガスメータ１の本体部１１が、約２秒間で一の計量単位の計測を実行していることになるので、その計量単位が既知であればガス流量を求めることができる。
【００２７】
このように、原波形データ４１から、第１、第２ピーク値４１Ｐ１、４１Ｐ２を観測することができるので、この原波形データ４１自体からガスメータ１の動作状況を把握することが可能ではある。しかし、原波形データ４１には、第１、第２ピーク値４１Ｐ１、４１Ｐ２の他に、いくつかのサブピーク４１Ｓが存在する。これらサブピーク４１Ｓと、第１、第２ピーク値４１Ｐ１、４１Ｐ２とを区別するために、所定の閾値を設定して真のピーク値のみを抽出する必要がある。図３の例では、例えば閾値を振幅値＝２００００に設定すれば、両ピーク値の峻別が可能となる。
【００２８】
しかしながら、ガスメータ１が実際に発する音は、ガスメータ１を通過する流体の流量により変化する。現在汎用されているガスメータでは、ガスの使用量が多いときには比較的大きな音が発生し、ガスの使用量が少ないときには比較的小さい音が発生する。従って、例えば閾値を振幅値＝２００００に固定的に設定すると、サブピーク４１Ｓと、第１、第２ピーク値４１Ｐ１、４１Ｐ２とを峻別することができない場合が生じる。つまり、正確なガス流量計測ができないことになる。
【００２９】
そこで、本実施形態では、一般に需要家においてガスの使用状況は急激には変化しないことに着目し、原波形データ４１の自己相関性を調べ、その周期性を求めることで、ガスメータ１における一の計量単位（つまり、音の発生周期）を求める。しかし、図３に示す原波形データ４１は、一秒当たり８０００サンプルのデータを有しており、数秒単位の周期を抽出するにはあまりにデータが多すぎる。つまり、原波形データ４１に基づき自己相関処理を行っても、周期性を観測することができない。この点に鑑み、波形圧縮部２７１は原波形データ４１を圧縮する。
【００３０】
一例として、波形圧縮部２７１は、原波形データ４１を１０００サンプルの時間単位（０．１２５秒）で区画し、その１０００サンプルの振幅値の平均値を求めることで、区画毎に一つの振幅データを作成する。これにより、図４に示すように、サンプリング周期が８Ｈｚの圧縮波形データ４２が生成される。この圧縮波形データ４２には、原波形データ４１の第１ピーク値４１Ｐ１及び第２ピーク値４１Ｐ２に対応した、第１ピーク値４２Ｐ１及び第２ピーク値４２Ｐ２が現れている。
【００３１】
テンプレート設定部２７２は、圧縮波形データ４２上において所定の時間幅のテンプレート波形を設定する。このテンプレート波形は、圧縮波形データ４２の周期性を求めるための基準波形であり、テンプレート設定部２７２は、圧縮波形データ４２上において基準時を設定し、その基準時の前、後、若しくは前後の、ある時間幅に存在するデータをテンプレート波形に設定する。テンプレート波形の時間幅は数秒程度であり、時間幅を固定的に設定しても良いし、可変式にしても良い。図５に、テンプレート設定部２７２が設定するテンプレート波形４３の一例を示すグラフである。
【００３２】
相関検出部２７３は、図５に示したようなテンプレート波形４３を基準時間単位で圧縮波形データ４２上を順次シフトさせ、テンプレート波形４３との自己相関を求めると共に相関ピークを検出する処理を行う。具体的には、相関検出部２７３は、上記の基準時から圧縮波形データ４２上においてテンプレート波形４３を基準時間（０．１２５秒）単位でスライドさせ、テンプレート波形４３と圧縮波形データ４２との相関を求める。
【００３３】
図６は、このスライド処理を模式的に示す図である。テンプレート波形４３は、基準時Ｚｔのデータの前後の時刻に、複数のデータを有している。このようなテンプレート波形４３を基準時間単位でスライドさせ、そのスライド毎に自己相関値Ｃ１、Ｃ２、Ｃ３・・・を求める。圧縮波形データ４２に一定の周期性がある場合、テンプレート波形４３をスライドしてゆくと、その一定の周期でテンプレート波形４３と圧縮波形データ４２との相関ピークが現れる。そして、相関ピークが現れる間隔を求めることで、圧縮波形データ４２の周期性、つまりガスメータ１の動作音発生周期が求められる。
【００３４】
自己相関関数ｒｋは、テンプレート波形の数列をＣ０、対称性を調べる数列をＣｋとすると、ｒｋ＝Ｃｋ／Ｃ０で表すことができる。但し、Ｃｋは次式で表される。
【００３５】
【数１】
2011174788.tif 000003
【００３６】
図７は、相関検出部２７３による自己相関データ４４の算出結果の一例を示すグラフである。自己相関データ４４には、第１〜第４相関ピーク４４Ｐ１〜４４Ｐ４の４つのピークが現れている。基準時（＝０ｓ）に現れている第１相関ピーク４４Ｐ１は、Ｃｋ＝Ｃ０であるので「１」となる。以下、時間ｔ１、ｔ２、ｔ３を置いて、それぞれ第２、第３、第４相関ピーク４４Ｐ２、４４Ｐ３、４４Ｐ４が現れている。この３つのピークは、圧縮波形データ４２上における、テンプレート波形４３と類似度が高いスライド位置で発生する。これら第１〜第４相関ピーク４４Ｐ１〜４４Ｐ４間の間隔、すなわち時間ｔ１、ｔ２、ｔ３は約２秒であり、周期性を確認することができる。
【００３７】
上記のように相関検出部２７３は、テンプレート波形４３を用いて圧縮波形データ４２の自己相関を調べた後、相関ピークを抽出し、これら相関ピークの発生間隔を求める。この発生間隔は、ガスメータ１の動作音の発生間隔となる。このような手法によれば、ガスメータ１の動作音がガス流量によって変化したとしても、また雑音をマイクロフォン２１が拾っていたとしても、特に問題なく的確に動作音を抽出することができる。
【００３８】
ここで、ガスの使用状況は急激に変化しないとはいえ、時間の経過に伴い変化する。すなわち、ガスメータ１の動作音の発生間隔が変化する。図７からも明らかな通り、基準時から時間的に最も離れている第４相関ピーク４４Ｐ４は、第２、第３相関ピーク４４Ｐ２、４４Ｐ３に比べて相関ピーク値が低いことが判る。従って、テンプレート波形４３は、所定の期間毎に、圧縮波形データ４２に基づいて逐次更新される。このテンプレート波形４３の更新は、例えば一定の時間毎（例えば５〜１０秒毎）に更新する、一定の周期毎（例えば３〜５周期毎）に更新する、或いは、相関ピーク値が所定の閾値を下回った時に更新する手法などを採用することができる。
【００３９】
流量算出部２８は、相関検出部２７３が検出する相関ピークの周期が、ガスメータ１の動作音の発生周期であると推定して、ガスメータ１（屋内ガス管路１０２）を流れるガスの流量を算出する。具体的には流量算出部２８は、ガスメータ１の本体部１１における一の計量単位、つまり動作音が１回発生する当たりのガスの量に、相関ピークの周期として求められる動作音の発生回数を乗じることで、ガスの流量を算出する。
【００４０】
インターフェイス回路２６は、外部機器３０と流量計測装置２とを通信可能に接続するために設けられている。外部機器３０は、ガスを燃料とする機器であって、単位時間当たりのガスの消費量等をその制御要素の一つとして用いる機器であり、例えば燃料電池装置である。
【００４１】
続いて、流量計測装置２の動作を、図８に示すフローチャートに基づいて説明する。演算処理装置２５は、音波検出回路２４から所定のタイミングで、マイクロフォン２１が検出した音波信号の原波形データ４１（図３参照）を、所定期間分だけ取得する（ステップＳ１）。そして、波形圧縮部２７１により、平均処理が施されて原波形データ４１が圧縮され、圧縮波形データ４２（図４参照）が作成される（ステップＳ２）。
【００４２】
その後、テンプレート設定部２７２により、テンプレート波形が有効に設定されているか否かが確認される（ステップＳ３）。すなわち、テンプレート波形の設定の有無、並びに、設定されているテンプレート波形が期限切れでないか否かが確認される。テンプレート波形が有効でない場合（ステップＳ３でＮＯ）、テンプレート設定部２７２は、圧縮波形データ４２上において基準時を設定し、その基準時に基づいたある時間幅の中に存在する波形データをテンプレート波形４３（図５参照）に設定する（ステップＳ４）。一方、テンプレート波形が有効である場合は（ステップＳ３でＹＥＳ）、このステップＳ４はスキップされ、既設定済みのテンプレート波形が活用される。
【００４３】
続いて、相関検出部２７３により、上記のテンプレート波形４３を用いて、圧縮波形データ４２の自己相関を求める処理が実行される（ステップＳ５）。この処理により、相関ピークが求められ、さらには相関ピーク間の時間を求めることで、相関ピークの発生周期が求められる（ステップＳ６）。この発生周期が、ガスメータ１の動作音の発生間隔に相当する。
【００４４】
その後、流量算出部２８により、ステップＳ６で求めた相関ピークの発生周期が、ガスの流量に換算され、単位時間当たりのガス流量が求められる（ステップＳ７）。そして、このガス流量データは、インターフェイス回路２６を介して外部機器３０へ出力されるものである（ステップＳ８）。その後、処理を継続するか否かが確認され（ステップＳ９）、継続する場合は（ステップＳ９でＹＥＳ）、ステップＳ１に戻って処理が繰り返される。一方、継続されない場合は（ステップＳ９でＮＯ）、処理を終える。
【００４５】
以上、本発明の実施形態を説明したが、本発明はこれに限定されるものではなく、例えば次のような変形実施形態を取ることができる。
【００４６】
（１）上記実施形態では、音又は振動を発生する機構を備える流体流通路の一例として都市ガスのガスメータ１を例示した。これに代えて、空気や酸素等の他の気体、水やオイル等の液体を計測する計量装置であって、一定量の流体が通過する度に音又は振動を発生する計量装置にも、本発明を適用することができる。また、一定量の流体が通過する度に音又は振動を発生する装置を含んでいれば、計量装置以外の装置であっても良い。
【００４７】
（２）上記実施形態では、検出手段としてマイクロフォン２１を例示し、マイクロフォン２１が検出する音波信号を用いてガス流量を求める例を示した。これに代えて、振動センサを検出手段として用い、ガスメータ１の本体部１１に密着させて、本体部１１内で生じる動作に起因する振動を検出するようにしても良い。
【００４８】
（３）上記実施形態では、流量計測装置２が求めたガス流量データを、インターフェイス回路２６を介して外部機器３０へ出力させる例を示した。これに代えて、外部機器３０内に流量計測装置２の機能を内蔵させる構成としても良い。
【符号の説明】
【００４９】
１    ガスメータ（乾式流量計）
１１  本体部
１２  表示部
２  流量計測装置
２１  マイクロフォン（検出手段）
２２  装置本体
２３  増幅回路
２４  音波検出回路
２５  演算処理装置
２６  インターフェイス回路
２７  周期検出部（周期検出手段）
２７１  波形圧縮部
２７２  テンプレート設定部
２７３  相関検出部
２８  流量算出部（流量算出手段）
３０  外部機器
【図１】
2011174788.tif 000004
【図２】
2011174788.tif 000005
【図３】
2011174788.tif 000006
【図４】
2011174788.tif 000007
【図５】
2011174788.tif 000008
【図６】
2011174788.tif 000009
【図７】
2011174788.tif 000010
【図８】
2011174788.tif 000011